(57)【要約】【課題】店頭でお客様の購買意欲を促すために、目を引いたり、商品の見栄えをよくする物品陳列台であって、ワンタッチ操作で迅速かつ簡易に、組み立て及び折り畳みができ、さらに様々な形状が構成できる物品陳列台を提供する。【解決手段】天板１と底板２と側板３で構成され、天板１と底板２共に離れた２点の位置で側板３と連結されて、天板１と底板２を折り畳むことによって、側板３も同時に折り畳まれる物品陳列台であり、その形状もお客様に強くアピールでき、商品を載せたときの見栄えもよい物品陳列台を完成させた。【選択図】図１
2005185632.tif 000002
【特許請求の範囲】
【請求項１】
天板と底板と側板とからなり、前記天板と前記底板それぞれに前記側板と２箇所以上で連結されており、前記天板と前記底板のそれぞれの折り曲げ部で折り畳むことによって、前記側板も連動して折り畳まれることを特徴とする物品陳列台。
【請求項２】
前記天板と前記底板が連結板で連結されていることを特徴とする請求項１に記載の物品陳列台。
【請求項３】
組み立てた時に、前記天板と前記底板を所定の位置に保持するために、保持部品を取り付けたことを特徴とする請求項1または２に記載の物品陳列台。
【発明の詳細な説明】
【技術分野】
【０００１】
本発明は、店頭等において商品等を陳列するために用いられる物品陳列台で、コンパクトに折り畳むことができ、かつ容易に組み立てることができる物品陳列台に関するものである。
【背景技術】
【０００２】
従来、商品を販売する店頭には、各種商品を並べて陳列するための陳列台が設置されている。この陳列台は店頭でのお客様の購買意欲を促すために、陳列台そのものが目を引くものや、陳列台に載せる商品の見栄えを良くするものが求められている。また、コンパクトに折り畳んで保管や移送が容易にでき、組み立てる時にもワンタッチ操作で迅速かつ簡易にできるものが求められている。
【０００３】
この要求を満足させるために、これまで種々の提案がなされている。例えば、コンパクトに折り畳むことができ、ワンタッチ操作で容易に組み立てが可能な陳列台（特許文献１参照）、総ての部材を一個の部材内にコンパクトに折り畳んで収納することができ、容易に組立が可能なディスプレーパネルが組み込まれた陳列台（特許文献２参照）、ワンタッチで組み立てられる雛段（特許文献３参照）、ワンタッチで立体化及び偏平化ができる組立式陳列箱（特許文献４参照）などである。
【特許文献１】特開２０００−８３７７６号公報
【特許文献２】特開２０００−８３７７７号公報
【特許文献３】特開２０００−３３０２７号公報
【特許文献４】実用新案登録第３０６２６６３号公報
【発明の開示】
【発明が解決しようとする課題】
【０００４】
しかしながら、上述した従来技術（特許文献１、２）の陳列台は、ワンタッチ操作とはいえ、後から商品載置板や展示板を組み込む必要があり、また、支持体のスリットに本体の四角柱体附属の連結片を係合させる等、その構造も複雑になっている。更にその構造上、陳列台の形状は四角柱体等の角柱に限定される。
【０００５】
また、他の従来技術（特許文献３）の雛段は、ワンタッチで組み立てができ、溝に凸片が嵌まり込んで確実な固定が実現でき、その結果、安定した組みあがり状態となる。しかし、その確実な固定を実現するために、折り畳む上では手間と時間を要し、陳列台保管時には苦労するものとなる。
【０００６】
また、他の従来技術（特許文献４）の陳列箱は、ワンタッチで立体化及び扁平化ができるものであるが、その構成上、対応できる陳列箱は平面形状が矩形のものに限られ、円弧を含むもの等の特殊な形状の陳列箱には対応できないものとなっている。
【課題を解決するための手段】
【０００７】
本発明者は、上述した課題を鋭意検討した結果、ワンタッチ操作で迅速かつ簡易に、組み立て及び折り畳みができ、さらに様々な形状が構成できる商品陳列台の発明の完成に至った。
【０００８】
すなわち本発明は、天板と底板と側板とからなり、前記天板と前記底板それぞれに前記側板と２箇所以上で連結されており、前記天板と前記底板のそれぞれの折り曲げ部で折り畳むことによって、前記側板も連動して折り畳まれることを特徴とする物品陳列台に関す
る。
【０００９】
また、前記天板と前記底板が連結板で連結されていることを特徴とする。
【００１０】
また、組み立てた時に、前記天板と前記底板を所定の位置に保持するために、保持部品を取り付けたことを特徴とする。
【発明の効果】
【００１１】
本発明の物品陳列台は、組み立て、折り畳みがワンタッチ操作で迅速かつ簡易にできるので、店頭における商品の準備および後片付けの作業性が良い。
【００１２】
また、折り畳んだときの状態が扁平形状であるので、狭いスペースにも保管でき、収納性に優れている。
【００１３】
また、その構成上、平面形状は円形に限らず、矩形のものや左右対称でない特殊な形状にも対応可能なので、店頭においてお客様の購買意欲を促すような目を引くものや、商品に適した形状が提供できる。
【発明を実施するための最良の形態】
【００１４】
以下、本発明の実施形態を図面によって説明する。
図１は一例の実施形態図であり、物品陳列台を組み立てた状態の斜視図であり、本発明の物品陳列台は、天板１と底板２と側板３とからなる。ここで、天板１は物品陳列台の上部に位置し、物品陳列台の形状を安定させると共に、物品等を載せる板になる。また、底板２は物品陳列台の下部に位置し、天板１と同様に物品陳列台の形状を安定させると共に、物品陳列台全体を所定の位置に安定して設置するときの支えとなる。また、側板３は天板１と底板２との間に位置し、物品陳列台の平面形状を形成するように柔軟な材質を用いている。そして、図１では円筒状の側板３の内側に、天板１と底板２とが、それぞれ２つの蝶着部品４で取り付けられている。尚、蝶着部品４は、側板３の手前側の内側部分の一箇所と、側板３の奥側の内側部分の一箇所に取り付けられている。また、この一例の場合、側板３が円筒状であるため、天板１と底板２の形状は円形となる。この天板１と底板２は、２つの蝶着部品４を結ぶ直線に直交する直径部分に折り曲げ部７が設けられ、折り曲げることができるようになっている。
【００１５】
図２は、図１の物品陳列台を折り畳んだ状態の側面図である。ここで、天板１は２つの蝶着部品４を結ぶ直線に直交する直径部分の折り曲げ部７で折り曲がり、半円形の板が２枚重なったような状態となり、その大部分を側板３からはみ出した形態となる。また、底板２も２つの蝶着部品４を結ぶ直線に直交する直径部分の折り曲げ部８で折り曲がり、半円形の板が２枚重なったような状態で側板３の内部に収納される形態となる。ここで、天板１および底板２とも、蝶着部品４で側板３の内側に取り付けられたままの状態である。
【００１６】
物品陳列台を折り畳んだ状態から組み立てた状態にするには、図２において天板１の折り曲げ部７と底板２の折り曲げ部８を下方に押し下げ、側板３を膨らますようにすればよい。
【００１７】
図３は、天板１と底板２との間に連結板５を取り付けた物品陳列台を組み立てた状態の斜視図である。ここでは図１の実施例と異なる部分のみ説明する。連結板５は天板１の折り曲げ部７と底板２の折り曲げ部８に取り付けられており、天板１と底板２が連結板５で連結されている。すなわち、連結板５は天板１と底板２を共に支える構造となり、物品陳列台の形状を安定させる役目を持つ。また、連結板５は、それを挟んで底板２枚を貼付する形でもよく、その場合であって連結板５が物品陳列台の設置面に到達する場合は、天板
１の上にある商品の重量を設置面に伝える働きができることから、天板１の上に商品を載せたときの支えの役目も併せて持つ。
【００１８】
図４は、図３の連結板５を取り付けた物品陳列台を折り畳んだ状態の側面図である。この連結板５は一枚の板状のものであるので、そのままの形状で収納されることとなる。収納場所は折り畳まれた天板１と底板２との間であるため、連結板の無い図２の場合と収納スペースは同じ状態となる。
【００１９】
図５は、天板１と底板２を安定に保持する保持部品６を取り付けた物品陳列台を組み立てた状態の斜視図である。ここでは図１、図３の実施例と異なる部分のみ説明する。保持部品６は側板３の内側に取り付けられる。その取付ける場所や個数は特に指定しないが、保持部品６の厚みをもって、天板１および底板２が水平となるように安定して保持できる状態であればよい。
【００２０】
図１〜５においては、平面形状が円形のものを一例の実施形態としてきたが、平面形状は矩形でも左右対称でない特殊な形状でもよい。例えば、図６は平面形状が長方形の物品陳列台を組み立てた状態の斜視図である。ここでは図１、図３、図５の実施例と異なる部分のみ説明する。天板１と底板２は、２つの蝶着部品４を結ぶ直線に直交する部分に折り曲げ部７、８が設けられている。該折り曲げ部７、８を折り曲げることによって、扁平形状になり、コンパクトに収納できる。
【００２１】
図７は平面形状が左右対称でない形状を持つ物品陳列台の斜視図である。ここでは図１、図３、図５、図６の実施例と異なる部分のみ説明する。天板１と底板２は、２つの蝶着部品４を結ぶ直線に直交する部分に折り曲げ部７、８が設けられている。該折り曲げ部７、８を折り曲げることによって、扁平形状になり、コンパクトに収納できる。
【００２２】
ここで、図１〜７の側板３の表面には、商品のイメージ図や使用状態、宣伝広告等のディスプレーが印刷等による直接的な方法、あるいは、シール等による間接的な方法で表示できる。
【００２３】
また、天板１の上に色彩された商品展示台を載せて、その上に各種商品を載せるたり、スタンドを立てて、商品説明や商品の使用方法等の情報を掲示することができる。
【００２４】
以上、実施形態に従って説明してきたが、天板１、底板２、側板３等を含む全体の各部品の材質は、紙もしくはプラスチック等が好ましい。特に天板１や底板２は商品の重量を支えるために、厚手の紙やプラスチック等が好ましい。また、各部品は着色してあってもよいし、透明であってもよい。また、連結板５の材質としては、紙、プラスチック、木等が好ましいが、例えば紙の場合は、ダンボールを用いるのが好ましく、更には、ダンボールの波板の縦方向の強度を利用するのが好ましい。
【図面の簡単な説明】
【００２５】
【図１】平面形状が円形である物品陳列台の組み立て状態の斜視図である。
【図２】平面形状が円形である物品陳列台の折り畳み状態の側面図である。
【図３】天板と底板との間に連結板を取り付けた物品陳列台の組み立て状態の斜視図である。
【図４】天板と底板との間に連結板を取り付けた物品陳列台の折り畳み状態の側面図である。
【図５】側板に保持部品を取り付けた物品陳列台の組み立て状態の斜視図である。
【図６】平面形状が長方形の物品陳列台の組み立て状態の斜視図である。
【図７】平面形状が左右対称でない物品陳列台の組み立て状態の斜視図である。
【符号の説明】
【００２６】
１  天板
２  底板
３  側板
４  蝶着部品
５  連結板
６  保持部品
７  天板折り曲げ部（一点鎖線で表示）
８  底板折り曲げ部（一点鎖線で表示）
【図１】
2005185632.tif 000003
【図２】
2005185632.tif 000004
【図３】
2005185632.tif 000005
【図４】
2005185632.tif 000006
【図５】
2005185632.tif 000007
【図６】
2005185632.tif 000008
【図７】
2005185632.tif 000009